(57)【要約】      （修正有）【課題】農業用生産施設の室内の熱対流循環がスムーズに行われ、効率の良い冷房又は除湿ができる空調装置を提供する。【解決手段】空調装置は、農業用生産施設に設置され、室内機３及び室外機８から構成されるヒートポンプ式の空調装置と、横倒しＵ字状に屈曲した複数の可撓ダクトを介して室外機に接続され、室内機から送出される冷却又は除湿された空気を多数の噴出孔を通じて施設室内に供給する複数の樹脂製フィルム状ダクト４とを備える。室内機は、架台上に載置されるとともに、可撓ダクトは、下端を吐出口に接続するとともに、上端を樹脂製フィルム状ダクトに接続することにより、吐出口から出る冷却又は除湿された空気の流れの向きを上方より反転させて、施設室内に向けて誘導する。【選択図】図５
0003179938.tif 000002
【実用新案登録請求の範囲】
【請求項１】
農業用生産施設に設置され、施設室内の空気を冷却又は除湿する室内機及び熱を外部に排出する室外機から構成されるヒートポンプ式の空調装置と、横倒しＵ字状に屈曲した複数の可撓ダクトを介して前記室外機に接続され、室内機から送出される冷却又は除湿された空気を多数の噴出孔を通じて施設室内に供給する複数の樹脂製フィルム状ダクトを備えた農業用生産施設の空調装置であって、前記室内機は、施設室内における壁面に近接した位置で、架台上に載置されるとともに、施設室内側の側面には吸入口が設けられ、当該吸入口に対向する側面には吐出口が設けられたケース体の内部に収納されており、前記可撓ダクトは、下端を吐出口に接続するとともに、上端を樹脂製フィルム状ダクトに接続することにより、吐出口から出る冷却又は除湿された空気の流れの向きを上方より反転させて、高さ位置を変更自在に施設室内に向けて誘導できるように構成し、前記フィルム状ダクトは、施設室内で空中に懸架された状態で、一方向に長く架設されるとともに互いに離隔して並設されていることを特徴とする農業用生産施設の空調装置。
【請求項２】
室内機を載置する架台は骨材で支持されるとともに、架台の上面は地面から５００ｍｍ以上の高さに設定され、架台の下部空間に通気性を確保したことを特徴とする請求項1に記載の農業用生産施設の空調装置。
【請求項３】
樹脂製フィルム状ダクトの表面色をシルバー色として、太陽光が乱反射するようにしたことを特徴とする請求項１または請求項２に記載の農業用生産施設の空調装置。
【考案の詳細な説明】
【技術分野】
【０００１】
本考案は、ビニールハウスやガラス温室等の農業用ハウスや、倉庫・テントドーム・コンテナ等の室内で植物を育成する植物工場など、農業用生産施設の室内を農作物に適した温度と湿度に調節・維持するための農業用生産施設の空調装置に関するものである。
【背景技術】
【０００２】
農作物は出荷時期により市場価格が大きく変動し、生産物の付加価値を高め収益性を高めるためには、農業用ハウスや植物工場などの農業用生産施設を使用して、出荷時期の調整を図ることがきわめて有効である。また天候の影響を直ちに受ける露地栽培と比較しても、こうした農業用生産施設はあらゆる生育環境をコントロールすることができるため、品質管理や作業を行いやすく、均質で安定的な収穫を実現するためにも、近年では野菜類ばかりでなく、柑橘類など果樹等についても農業用生産施設内での栽培が広がりをみせている。
【０００３】
特に野菜類の場合は生育も早く、数ヶ月という比較的短期間の栽培で収穫が見込めることから、主として寒冷期の加温に農業用生産施設が利用される。
【０００４】
しかしながら果樹を室内で栽培しようとした場合には、年間を通じて室内で樹木を栽培し続けることとなり、四季を通じたデリケートな温度と湿度の管理を必要とする。
【０００５】
特にビニルハウス等では、日照の透過率が高く、寒冷期に施設室内を加温するには適した構造であるものの、盛夏の時期には窓を全て開放したとしても、通風だけでは換気が不足し、必要以上に施設内が高温多湿になってしまい、農作物に深刻なダメージを与えてしまうのである。
【０００６】
一般的に、果樹等が高温に曝されると、花芽分化に悪影響を及ぼすことから着花不良につながるのであるが、特にハウスみかんは盛夏に成熟期となる作型が多く、成熟期の気温が高すぎると果皮の着色が不良となる性質があるため、盛夏時期の高温多湿の悪影響をもろに受けやすく、特に夜間においても夜冷という手法で積極的に冷房や除湿を行う必要があり、こうした対策を施すことで収穫の遅延や商品率の低下といった問題が解決し、収益性の向上を図ることができる。
【０００７】
さらに昨今では、地球温暖化傾向により盛夏時期には外気温ですら４０℃近くに上昇することも稀ではなく、こうした時期における農業用生産施設の室内の温度と湿度の管理は、農家にとって極めて重要な課題となっている。
【０００８】
すでに広く普及している従来の農業用生産施設の空調装置は、重油等の燃料を燃焼することによって加温された空気を室内に向けて吹出すものが主流であったが、こうした重油燃焼式の空調装置では、盛夏時期の冷房や除湿に対応することができないばかりか、重油価格の高騰による経済的負担も大きく、さらに二酸化炭素の排出も伴うため地球温暖化を一層助長してしまっていた。
【０００９】
そこでこうした問題に対応するべく、熱媒のヒートポンプサイクルを利用して少ないエネルギーで熱交換をすることができるヒートポンプ式の空調装置が農業分野でも普及をみせはじめており、例えば、特許文献1 には、ヒートポンプ式の空調装置を園芸ハウス室内の空調に利用する技術が開示されている。
【００１０】
そしてこのヒートポンプ式の空調装置は、寒冷機の暖房機能のほかに冷房、除湿機能も持っているため、盛夏時期の空調装置として使用することができ、前述のような果実成熟期における着色促進や浮き皮軽減の防止をすることができるとともに、着花促進が可能となるのである。
【先行技術文献】
【特許文献】
【００１１】
【特許文献１】実開昭６２−６０８１５号公報
【考案の概要】
【考案が解決しようとする課題】
【００１２】
特許文献1の園芸ハウス空調装置では、ケーシング内の前側空間を隔壁で上下に区画して吸込チャンバーと吹出チャンバーを形成した構造であるが、ケーシングの構造が複雑であるとともに、ケーシングに圧縮機やその他種々の構成を機械室に一体的に組み付けているので、装置が複雑化、及び大型化、重量化、高コスト化する問題があった。また、吹出口の吹出し方向が固定されるとともに、吹出し位置がハウス室内で偏在することとなるので、大容量の広い空間であるハウス室内では空気の対流が効率良く行われにくく、温度や湿度のムラが生じ、効率良くかつ平均化することが困難であった。
【００１３】
本考案は上記従来の課題に鑑みてなされたものであり、構造が簡単で低コストで製造できるとともに、室内を効率よく冷房又は除湿ができる農業用生産施設の空調装置を提供することを課題としている。
【課題を解決するための手段】
【００１４】
上記課題を解決するために本考案は、農業用生産施設に設置され、室内の空気を冷却又は除湿する室内機及び熱を外部に排出する室外機から構成されるヒートポンプ式の空調装置と、横倒しＵ字状に屈曲した複数の可撓ダクトを介して前記室外機に接続され、室内機から送出される冷却又は除湿された空気を多数の噴出孔を通じて室内に供給する複数の樹脂製フィルム状ダクトを備えた農業用生産施設の空調装置であって、前記室内機は、室内における側壁に近接した位置で、架台上に載置されるとともに、室内側の側面には吸入口が設けられ、当該吸入口に対向する側面には吐出口が設けられたケース体の内部に収納されており、前記可撓ダクトは、下端を吐出口に接続するとともに、上端を樹脂製フィルム状ダクトに接続することにより、吐出口から出る冷却又は除湿された空気の流れの向きを上方より反転させて、高さ位置を変更自在に室内に向けて誘導できるように構成し、前記フィルム状ダクトは、室内で空中に懸架された状態で、一方向に長く架設されるとともに互いに離隔して並設されていることを特徴とする農業用生産施設の空調装置から構成される。
【００１５】
また、室内機を載置する架台は骨材で支持されるとともに、架台の上面は、地面から５００ｍｍ以上の高さに設定され、架台の下部空間に通気性を確保するようにしてもよい。
【００１６】
また、樹脂製フィルム状ダクトの表面色をシルバー色として、太陽光が乱反射するようにしてもよい。
【考案の効果】
【００１７】
本考案の空調装置によれば、農業用生産施設に設置され、室内の空気を冷却又は除湿する室内機及び熱を外部に排出する室外機から構成されるヒートポンプ式の空調装置と、横倒しＵ字状に屈曲した複数の可撓ダクトを介して前記室外機に接続され、室内機から送出される冷却又は除湿された空気を多数の噴出孔を通じて室内に供給する複数の樹脂製フィルム状ダクトを備えた農業用生産施設の空調装置であって、前記室内機は、室内における側壁に近接した位置で、架台上に載置されるとともに、室内側の側面には吸入口が設けられ、当該吸入口に対向する側面には吐出口が設けられたケース体の内部に収納されており、前記可撓ダクトは、下端を吐出口に接続するとともに、上端を樹脂製フィルム状ダクトに接続することにより、吐出口から出る冷却又は除湿された空気の流れの向きを上方より反転させて、高さ位置を変更自在に室内に向けて誘導できるように構成し、前記フィルム状ダクトは、室内で空中に懸架された状態で、一方向に長く架設されるとともに互いに離隔して並設されていることを特徴とする農業用生産施設の空調装置から構成されることから、室内機で室内側から空気を吸って室内側に反転し、空中に懸架され並設された複数の樹脂製フイルム状ダクトから冷却又は除湿された空気を吹出すので、室内の熱対流循環がスムーズに行われ、効率の良い冷房又は除湿ができる。
【００１８】
特に、可撓ダクト接続構造を採用したことにより、室内機と樹脂製フイルム状ダクトの配置自由度が高く、農業用生産施設の規模や農作物の栽培位置などの条件で位置が左右される複数の樹脂製フイルム状ダクトを室内の空中のいずれの位置に架設しても、可擁ダクトの向きや位置を自由に変更調整することで空調装置と樹脂製フイルム状ダクトの接続が制限されることなく確実に接続することができる。
【００１９】
同時に、樹脂製フイルム状ダクトに空気の流れが妨げられるような、ねじれや折れ曲がり等を生じさせずに接続することができる。その結果、大容量の広い空間であっても室内の高い空中位置から冷却又は除湿された空気を吹出す構造を具体的に実現でき、施設室内の温度ムラをほとんど生じさせることなく効率良く冷房や除湿をすることができる。また、複数の樹脂製フイルム状ダクトが、果樹等が結実している空中を効率良く冷却又は除湿をすることができるので、良好に農作物を栽培することができる。
【００２０】
さらに、室内機を地面から高い位置に支持しているので、早期に汚損したりサビつくのを防止でき、メンテナンスも行いやすく、可撓ダクト接続構造の設置や位置調整も行いやすい。
【００２１】
また、室内機を載置する架台を骨材で支持するとともに、架台の上面を、地面から５００ｍｍ以上の高さに設定し、架台の下部空間に通気性を確保するようにすれば、ハウス内の空気の循環を阻害することなく、隅々まで冷気をゆきわたらせることができる。
【００２２】
また前記樹脂製フィルム状ダクトの表面色をシルバー色とすれば、太陽光の一部が乱反射してハウスの外部に放出されるため、冬場の日照不足を補完することができる。さらに冷房効率を高めることもでき、特に樹脂製フィルム状ダクトから上方に向けて反射する光は、果樹等の葉の裏面に照射することとなるため、光合成が促進されて生育向上の促進も可能となる。また果樹等の生育を阻害するアブラムシ等の病害虫は、シルバー色に対して忌避する習性があり、病害虫に対する忌避効果を発揮することもできる。
【図面の簡単な説明】
【００２３】
【図１】本考案の使用状態を示す平面外観図である。
【図２】本考案の実施例を示す平面図である。
【図３】本考案の実施例を示す横面図である。
【図４】本考案の実施例を示す正面図である。
【図５】本考案の使用状態を示す横外観図である。
【考案を実施するための形態】
【００２４】
以下添付図面を参照しつつ本考案の農業用生産施設の空調装置の実施形態について説明する。
【００２５】
本考案の空調装置は、例えば、野菜、花、果樹等の農作物を栽培するビニールハウスやガラス温室等の農業用ハウスや、倉庫・テントドーム・コンテナ等の室内で植物を育成する植物工場など、農業用生産施設の室内を農作物に適した温度と湿度を調節するものであるが、図１、図５に示す実施形態では、例えば周知のビニールハウス等からなり、一方向に長く平面視で長方形状に設けられるとともに、屋根１がアーチ状に形成されている。
【００２６】
ビニールハウスは、例えば、所定の形状に組み付けられた金属フレームにポリ塩化ビニル等の透光性シートが被覆されて、ハウスの４つの側壁２及び屋根１が形成されており、ハウス内の地面には、多数の農作物が複数列状に並べて植えられて栽培される。なお、図５では、農作物１２がみかん等の果樹の場合の例で示している。
【００２７】
本考案の空調装置は、例えば施設のサイズに応じて複数個（例えば５個）設置することが可能であり、それぞれの室内機３には複数の（例えば４本の）樹脂製フイルム状ダクト４が接続される。各室内機３は、ハウスの対向する長辺側の側壁２のうち、一方の側壁の壁面側に近接して配置されるとともに、その長手方向に向けて所定間隔で離隔して並べて設置されている。なお、空調装置の数や、樹脂製フイルム状ダクト４の本数等は、施設の大きさ、農作物の種類等に応じて任意に設定するとよい。
【００２８】
樹脂製フイルム状ダクト４は、図２、図４に示すように、それぞれ室内機３に接続されて該室内機から送られる冷却又は除湿された空気を多数の吹出孔から室内に吹出す吹出ダクトであるが、室内を横断するように一方に長い筒体状に形成され、両端が開放されている。また樹脂製フイルム状ダクト４は、可撓性があり厚みが薄いフイルム状のポリエチレンやビニル等の軟質な合成樹脂からなる。
【００２９】
また樹脂製フイルム状ダクト４は、ダクト内部に空気が送られていない状態では内壁どうしが重なるように平らな状態となっており、室内機からダクト内部に空気が送られるとその風圧で略円筒状に膨らむようになっている。そして樹脂製フイルム状ダクト４の周壁には、ダクト長手方向に沿って一定間隔で多数の吹出孔が一列状に並んで形成されている。
【００３０】
また樹脂製フイルム状ダクト４は、室内の梁１３等からワイヤーや紐・竿１４等により空中に吊下げられた状態で、ダクト長手方向を室内の短辺方向に向けて懸架され、ダクトの全周にランダムに設けられた多数の噴出口から空気があらゆる方向に吹出すように設置されるので、ダクト内に冷却又は除湿された空気が通過することで、室内空間を隅々まで冷却又は除湿をすることができる。
【００３１】
なお図１では、複数の樹脂製フイルム状ダクト４は、略平行状に等間隔で並設している場合を示しているが、実際には栽培する農作物の並び方や位置、種類等に応じて適宜自在に設定されるとよいし、また、樹脂製フイルム状ダクト４の多数の吹出孔についても、上下方向のみに設けて噴出するようにしても充分な効能を奏することができる。
【００３２】
図１では、室内機３は室内の側壁２に近接した位置に略等間隔で５個配置されており、それぞれの室内機３は、架台９によって所定の高さ位置に支持され、室内側から空気を吸込むように形成される空気の吸入口６の高さ位置を所定の高さに設定している。室内機３は送風機と熱交換器から構成され、吸入口６と吐出口７が設けられたケース体１０の内部に収納されている。さらに、施設の外部には室外機８が接続されており、室内機３で吸収した熱を外部に放出するヒートポンプサイクルを行うように熱媒配管や配線が室内機に接続されている。なおこの室外機８には、複数の室内機を接続するようにしてもよい。
【００３３】
図２、図３、図４に示すように、ケース体１０は、例えば、平面視長方形状となる偏平の矩形箱状（直方体状）に設けられている。ケース体の互いに対向する２つの側面のうち、一方の側壁に空気の吸入口６が設けられ、他方の側壁に冷気の吐出口７が設けられている。なおケース体１０は、吸入口６を室内側に向けるとともに、吸入口６と反対面となる吐出口７を該ケース体に近接する側壁２に向けた状態で配置される。ケース体１０は、冷気の吐出口７と側壁２との間にある程度間隔をあけて配置されており、後述の可撓ダクト５のスペースが確保される。
【００３４】
図４に示すように、ケース体１０の空気の吸入口６は、例えば、ケース体の側面の全体を矩形状に開放して設けられている。吸入口６には異物混入防止の網又はフィルタが張設されている。またケース体１０の冷気の吐出口７は、例えばケース体の側面輪郭よりも小さい開口面積で該側面を貴通して、円形状に設けられている。吐出口７は、１つのケース体１０に４つ連接されており、水平方向すなわちケース体１０の長手方向に沿って一列状に並んで形成されている。
【００３５】
送風機は、例えば、ケース体１０内部で吸入口側に近接して設置されているシロッコファン等からなり、熱交換器１１は、例えば、室外機と協働してヒートポンプサイクルを構成して熱を外部に与える凝縮器からなる。熱交換器１１は、対向する吸入口６と吐出口１０の中間位置となるケース体内部の中間位置に設置されている。室内機３は、稼動状態では、ケース体１０内部の送風機により室内側から空気を吸込む。
【００３６】
ケース体１０内部では、吸込まれた空気は吸入口６から吐出口７へ向けて略横方向状に一方向へ流れる。ケース体１０内部を略横方向に流れる空気は確実に熱交換器に接触されて該空気が冷却又は除湿される。冷却又は除湿された空気は、同送風機の風力により吐出口７からケース体外へ流れ出される。
【００３７】
架台９は、室内に地面上に設置され、室内機３を所定の高さ位置に支持する支持手段である。図３、図４に示すように、本実施形態では、架台９は、例えば、室内機３を収容するケース体１０の大きさ及び形状に合わせて台面が長方形に形成された台部と、台部の枠の隅部を支持する4 本の支持脚と、が一体的に設けられた４つ脚の台構成となっている。架台９は、台部の下方に略直方体状の中空空間が形成されるとともに、該中空空間の４つの側面を開放して形成されている。すなわち、架台９は、該台部の真下、すなわち支持するケース体１０の真下に、中空の下部空間を形成している。
【００３８】
この架台９の下部空間は、その全ての側面が開放されており、この下部空間を通じて空気が通過することができるため、室内機３による空気の循環を阻害することを最小限に留めることができる。
【００３９】
架台９は、地面から該架台９の上面までの高さHが少なくとも５００ｍｍ以上の高さに設定されているが、地表面からの温湿度分布の限界ラインである８８０ｍｍ以下に設定されると効果的である。そして架台９の下部空間の開放部分の高さも、同程度の高さが確保されることになる。
【００４０】
なお、架台９の上面の高さHが５００ｍｍよりも低いと、架台９の下部空間の高さが低くなるので、空気の循環が阻害されてしまうおそれがある。また室内機３本体の設置高も低くなるので、ダクトの設置効率の低下を招くおそれがある。なお架台１０は、例えば、支持脚の長さを変更可能として、室内機の高さ位置を調整できるように構成してもよい。
【００４１】
また図３に示すように、可撓ダクト５の接続は、室内機３から冷却又は除湿された空気を樹脂製フイルム状ダクト４に誘導するために、ケース体１０の冷気の吐出口７と複数の樹脂製フイルム状ダクト４とを接続するように構成してあり、一端がケース体１０の冷気の吐出口７に接続され、他端が樹脂製フイルム状ダクト４に接続されている。本実施形態では、可撓ダクト５接続構造は、室内機３のケース体に設けられる４つの冷気の吐出口７に合わせて、４つの可撓ダクト５を有している。前述のようにケース体１０が吸入口６を室内側に向け、吐出口７を側壁側に向けて設置されることにより、側壁側で冷気の吐出口７からケース体１０外に流れる冷却又は除湿された空気を、ケース体１０内部の空気の流れとは反対方向となる室内側に向けて上方からＵターン状に反転し、室内側に設置される樹脂製フイルム状ダクト４に誘導する。
【００４２】
可擁ダクト５はフレキシブルな性質により、該ケース体１０の冷気の吐出口７から樹脂製フイルム状ダクト４までの接続長さ、及び室内側において樹脂製フイルム状ダクト４と接続される可撓ダクト５の他端の設置位置を変更自在に構成されている。すなわち、可撓ダクト５の長さ、他端側の向きや角度や設置位置等を自在に調整して、室内に並設されているそれぞれの樹脂製フイルム状ダクト４と接続される。
【００４３】
したがって、可撓ダクト５の向きを自在に変更することで、室内機３の位置と、複数の樹脂製フイルム状ダクト４の位置と、を厳密に設計する必要がないとともに、各樹脂製フイルム状ダクト４の設置位置に容易に対応して接続することができる。
【００４４】
その結果、室内への冷却又は除湿された空気の吐出口７を形成する樹脂製フイルム状ダクト４の設置位置が室内機３の位置や農作物の植えた位置によって限定されることなく、室内全体に亘って複数の樹脂製フイルム状ダクト４を並設して、施設全体に冷却又は除湿された空気を送ることができ、室内が大容量空間であっても温度ムラを生じることなく平均的な効率良い冷房又は除湿を具体的に実現できる。
【００４５】
本実施形態では、可撓ダクト５は、例えば、自在に伸縮及び屈曲しその伸縮状態及び屈曲状態を保持することができるとともに、伸縮又は屈曲させた状態でも断面円形状のダクト内空間を保持できる金属製蛇腹管（フレキシブルダクト）からなる。
【００４６】
可撓ダクト５の周囲は、例えば、グラスウール等の断熱材で被覆され、図３、図４に示すように、可擁ダクト５は、例えば、ケース体１０の冷気の吐出口７に接続された一端から上方に向けて屈曲されるとともに、さらに室内側に向けて再度屈曲されて、側面視で横倒しＵ字状に屈曲されている。また可撓ダクト５の他端は、前述のように自在に伸縮・屈曲ができるので、適宜の位置で接続保持部を介して樹脂製フイルム状ダクト４と接続される。なお、可擁ダクト５の他端は、樹脂製フイルム状ダクト４の一端の開口に差し込まれ、外部から金属製の接続リングを介して樹脂製フイルム状ダクト４と気密状態で連結されている。
【００４７】
次に、本実施形態に係る空調装置の作用について説明する。本考案の農業用生産施設の空調装置を構築する際には、例えば、農業用生産施設内に並んで栽培されている農作物１２の間に、図１のように複数の樹脂製フイルム状ダクト４が並設される。室内では、側壁２に近接した位置に室内機３が所定間隔で並設される。
【００４８】
また室内機３を支持している架台９の高さHは約５００ｍｍ以上に設定されている。可擁ダクト５は、ケース体１０の吐出口７に接続されて横倒しＵ字状に屈曲されて、架台９の上部空間を通して他端を室内側に向けて配設されており、可撓ダクト５の長さや端部の位置を変更したり、吹出し方向を変更して調整することで、所定の位置の樹脂製フイルム状ダクト４に接続される。可撓ダクト５は接続の自由度が高いので樹脂製フイルム状ダクト４の設置位置に制限されることがなく、施設室内の空間全体に亘って並設させた複数の樹脂製フイルム状ダクト４と確実に接続できる。
【００４９】
また、農作物１２を植える位置等により樹脂製フイルム状ダクト４の位置が変わっても、樹脂製フイルム状ダクト４の位置に対応して簡単かつ自在に調整して接続できる。なお、複数の樹脂製フイルム状ダクト４を平行状に並設するものに限らず、ダクト長手方向の向きがそれぞれ異なるように互いに斜めに設置してもよい。この場合でも可擁ダクト５の方向を変更して樹脂製フイルム状ダクト４と簡単に接続できる。
【００５０】
空調装置を稼働させると、図５に示すように、室内機３では、室内側から空気を吸込み、そのケース体内部を略横方向に流れながら冷却又は除湿される。その冷却又は除湿された空気は、室内機３の冷気の吐出口７から可撓ダクト５に流れ、該可擁ダクト５により反転されて室内側に誘導されて、樹脂製フイルム状ダクト４内に吹き込まれる。そして、冷却又は除湿された空気は樹脂製フイルム状ダクト４の吹出孔から施設室内に吹出され、室内にゆきわたる。
【００５１】
さらに室内機３の空気の入口が室内側に向けて設定されるとともに地面から高い位置に設置されているので、室内側の高温の空気を吸込んでさらに冷却又は除湿をするので熱効率が良く、早期に施設室内の温度を下げることができる。
【００５２】
このように、室内側から空気を吸込んで、室内側に反転し、空中に並設した樹脂製フイルム状ダクト４から冷却又は除湿された空気を吹出すことにより、大容量の施設の室内空間で空気を効率良く対流させながら冷却又は除湿して、温度ムラを生じることなく、効率良い冷房又は除湿を実現でき、農作物を良好に栽培することができる。
【００５３】
以上説明した本考案の農業用生産施設の空調装置は、上記した実施形態のみの構成に限定されるものではなく、実用新案登録請求の範囲に記載した本考案の本質を逸脱しない範囲において、任意の改変を行ってもよい。
【産業上の利用可能性】
【００５４】
本考案の空調装置は、例えば、野菜、果実、花等の農作物を栽培するビニールハウスやガラス温室等のほか、倉庫やテントドーム、コンテナ等の内部で植物を育成する植物工場など、農業用生産施設の空調装置として広く使用することができる。
【符号の説明】
【００５５】
１    屋根
２    側壁
３    室内機
４    樹脂製フィルム状ダクト
５    可撓ダクト
６    吸入口
７    吐出口
８    室外機
９    架台
１０  ケース体
１１  熱交換器
【図１】
0003179938.tif 000003
【図２】
0003179938.tif 000004
【図３】
0003179938.tif 000005
【図４】
0003179938.tif 000006
【図５】
0003179938.tif 000007